(57)【要約】【課題】ワゴンをワークトップ内に収容した際に、ワゴンの天板の前面がワークトップの前面と同じ位置まで延長して形成されており、天板の使用面積が広く、見栄えのよいワゴンを実現する。【解決手段】キッチン１のワークトップ３の下方の収容空間に収容される収納部付きワゴン２は、収納部７と、収納部７に載置される天板８と、収納部７の前面を覆う扉９とから成り、天板８の前面１４は、扉９の前面より前方へ突出しており、収納部付きワゴン２が収容空間の奥まで収容された状態で、天板８の前面１４がワークトップ３の前面１５と略同位置まで延長されている。【選択図】図２
2008104656.tif 000002
【特許請求の範囲】
【請求項１】
キッチンのワークトップの下方の収容空間に収容される収納部付きワゴンであって、収納部と、収納部に載置される天板と、収納部の前面を覆う扉とから成り、天板の前面が扉の前面より前方へ突出しているとともに、収納部付きワゴンが収容空間の奥まで収容された状態で、天板の前面がワークトップの前面と略同位置まで延長されていることを特徴とする収納部付きワゴン。
【請求項２】
請求項１記載の収納部付きワゴンであって、天板の前面の上端部がワークトップの前面と略同位置であり、天板の前面の上端部から下端部にかけて傾斜面が形成されていることを特徴とする収納部付きワゴン。
【請求項３】
請求項１記載の収納部付きワゴンであって、天板には、その前面と収納部の前面の中間位置に、手掛かりとして機能する凹部又は貫通孔が形成されていることを特徴とする収納部付きワゴン。
【発明の詳細な説明】
【技術分野】
【０００１】
本発明は、キッチンのワークトップの下方に収容される収納部付きワゴンに関する。
【背景技術】
【０００２】
図４は、従来のキッチン２６のワークトップ２７の下方に収容される収納部付きワゴン２８の一般的な構成を示す図である。このワゴン２８は、収納部２９、収納部２９の上に載置される天板３０、収納部２９の前面を覆う扉３１等から構成されている。このような一般的な構成のワゴン２８以外に、いろいろな構造のワゴンがあり、以下にその一例を示す。
【０００３】
例えば、ワゴンの前板をキャビネット本体の格納部へ前板を先入れして格納部の奥側まで押し込むことができる大きさとして、使用の度に格納部から引き出すことなくワゴンの収納部を使用できるようにした構成は知られている（特許文献１参照）。
【０００４】
また、ワゴンの収納部を格納するキャビネットの凹空間において、ワゴン収納部より上方に形成さえる空間を、手前側に引き出せる棚板を設けることで利用可能とした構成は知られている（特許文献２参照）。
【０００５】
さらに、机の下方に収容されるワゴンにおいて、机の天板の下方に凹部を設け、この凹部に把手を設けたものが知られている（特許文献３参照）。天板に形成した下向き切欠窓と、最上段の引出しに形成した上向切欠窓とを合わせた際に単一の開口部を形成するように構成したワゴンにおいて、開口部の最上段の引出しに手を掛けることが可能な操作片を配設したものが知られている（特許文献４参照）。
【０００６】
【特許文献１】特開２００２−１６５６４６号公報
【特許文献２】特開２００２−１６５６５２号公報
【特許文献３】特開２００４−２０２１７６号公報
【特許文献４】特開平５−０７６４３４号公報
【発明の開示】
【発明が解決しようとする課題】
【０００７】
図４に示す従来例のように、天板３０を有するタイプのワゴン２８では、ワゴン２８の天板３０の前面３０’は、ワゴンの収納部２９の本体の前面２９’とほぼ同じ位置にあるので、天板３０の面積は広く使用できない。また、ワゴン２８をキッチン２６のワークトップ２７の下方に収容した場合に、キッチン２６のワークトップ２７の前面２７’より奥にひっこんでしまい、ワークトップ２７の下方に隙間が形成され見栄えが悪くなるという問題も生じる。
【０００８】
本発明は、このような従来の問題を解決することを目的とするものであり、ワゴンの天板の面積を広くし、しかもワークトップの下方に収容した際に、使用者の邪魔となることがなく、見栄えがよいワゴンを実現することを課題とする。
【課題を解決するための手段】
【０００９】
本発明は上記課題を解決するために、キッチンのワークトップの下方の収容空間に収容される収納部付きワゴンであって、収納部と、収納部に載置される天板と、収納部の前面を覆う扉とから成り、天板の前面が扉の前面より前方へ突出しているとともに、収納部付きワゴンが収容空間の奥まで収容された状態で、天板の前面がワークトップの前面と略同位置まで延長されていることを特徴とする収納部付きワゴンを提供する。
【００１０】
前記収納部付きワゴンでは、天板の前面の上端部がワークトップの前面と略同位置であり、天板の前面の上端部から下端部にかけて傾斜面が形成されていることが好ましい。
【００１１】
前記収納部付きワゴンでは、天板には、その前面と収納部の前面の中間位置に、手掛かりとして機能する凹部又は貫通孔が形成されている構成としてもよい。
【発明の効果】
【００１２】
本発明に係る収納部付きワゴンによれば、次のような効果が生じる。
（１）キッチンのワークトップの下方に収容した場合に、ワゴンの天板の前面はキッチンのワークトップの前面と同位置であるように延長して形成されているために、天板の面積を広くすることができ、しかも、天板及び扉がワークトップより前側に突出しないので、使用者の邪魔となることがない。
【発明を実施するための最良の形態】
【００１３】
本発明に係る収納部付きワゴンを実施するための最良の形態を実施例に基づき図面を参照して、以下説明する。
【実施例１】
【００１４】
図１は、キッチン１に本発明に係る収納部付きワゴン２を収納した状態の全体構成を示す。このキッチン１は、ワークトップ３の下に、引出し、片開き扉等を備えた収納部４が設けられている。この収納部４の一部に、横方向に間隔をおいて設けられた２枚の仕切板５によってワゴン２を収容するための収容空間６が形成されている。本発明に係る収納部付きワゴン２は、このようなキッチン１の収容空間６に収容される。
【００１５】
図２（ａ）は、本発明の実施例１の収納部付きワゴン（以下、単に「ワゴン」という。）２を、キッチン１のワークトップ３の下方に形成されたキッチン１の収容空間６内に収容した状態を示す図であり、図２（ｂ）は、ワゴン２の要部を説明する図である。
【００１６】
図２（ａ）では、本発明のワゴン２の全体の側方から見た断面図を示しているが、ワゴン２は、収納部７と、この収納部７に載置される天板８と、収納部７の前面を覆う扉９とが設けられており、底部に設けたキャスター２’で移動可能である。収納部７は、本実施例では、前面に扉９（引き出しの前板）を有し、ワゴン本体から手前側に引き出すことのできる引出し１０（図２（ａ）中、想像線で記載）を備えた構成である。その他、収納部７は、前面に片開き又は両開きの扉を有する収納庫の構成としてもよい。
【００１７】
天板８は、収納部７に載置されるが、具体的には、収納部７を構成する左右の側板１１及び左右の側板１１の間に架設された幕板１２の上に取り付けられている。ところで、本実施例のワゴン２は、キッチン１に対して次のような寸法関係で構成されている。
【００１８】
図２（ａ）は、ワゴン２をキッチン１の収容空間６の奥まで入れて収容した状態（「通常の収容状態」という。）を示している。この通常の収容状態は、より正確には、ワゴン２の最も奥の部分、例えば、本実施例１のように天板８の奥端、或いはワゴン本体の奥壁、又はワゴン２にガード用のパイプ等が付いている場合はそのパイプの奥端等のうち最も奥の部分がキッチン１の収容空間６の奥壁１３に当接するまで、ワゴン２を収容空間６に入れた状態である。
【００１９】
本実施例１のワゴン２は、このような通常の収容状態において、図２（ｂ）に示すように、天板８の前面１４は、扉９の前面より前方（手前側）に突出し、且つ、ワークトップ３の前面１５と略同位置となるように延長して構成されている。
【００２０】
このような構成とすることにより、天板８の前後方向の寸法及び面積が大きくなり、天板８を広く使うことができる。しかも、図２（ａ）に示すように、ワゴン２が通常の収容状態では、ワゴン２の扉９の前面は、ワークトップ３の前面１５より収容空間６内に入り込んでいるので、キッチン１の使用者は、ワゴン２が邪魔となって疲れるようなことがない。
【００２１】
また、天板８がワークトップ３の前面の位置まで前方に延びているので、ワークトップ３と天板８の上下方向の隙間をある程度ふさぐことができ、この隙間から内部を見えにくくするので、この点からも見栄えが良くなる。特に、比較的、ワゴンの前方の低い位置から隙間内を隠す効果は大きい。さらに、通常の収容状態で、ワゴン２の収納部７の前面と、キッチン１の収納部４の前面は、略同位置に位置するように設定されており、キッチン全体としての意匠性を向上させている。
【００２２】
ところで、図１に示すように、ワークトップ３の前面１５の厚み（縦幅）は、横幅方向にわたって一定に形成されている。このように、ワークトップ３の前面１５の厚みが一定であるのに対して、ワゴンの天板の厚みが全体的に同じであり天板の前面の厚みも天板の他の部分の厚みと同じであると、キッチン１にワゴンを収容した際、天板の前面の厚みが目立ち、見栄えが悪くなる。換言すると、キッチンの横幅方向全体のうち、ワゴンが収容された部分だけ、ワークトップ前面の厚みに天板の厚みが加えられて見栄えが悪くなる。
【００２３】
そこで、この実施例１のワゴン２は、図２（ａ）、（ｂ）に示すように、天板８の前面１４の上端部から下端部にかけて傾斜面１６が形成されている。即ち、天板８の前面１４の上部から奥側に向かうに従って下方に傾斜する傾斜面１６が形成されている。このような構成にすると、天板８の前面１４が薄くなるから、その厚みが目立たず見栄えが良くなる。
【００２４】
さらに、この実施例１のワゴン２は、その幕板１２の前面には手掛け１７が取り付けられている。天板８の前面側に傾斜面１６が形成されているので、天板８と手掛け１７の間のスペースが広くなり、使用者は上方から手を差し込んで、手掛け１７に手を掛けやすいという相乗効果も生じる。
【実施例２】
【００２５】
図３（ａ）、（ｂ）は、本発明に係る収納部付きワゴンの実施例２を説明する図であり、図３（ａ）は要部の断面図を示し、図３（ｂ）は、図３（ａ）の矢視Ａ−Ａ方向に見た平面図である。この実施例２のワゴン１８は、実施例１のワゴン２と略同じ構成であるので、異なる構成を中心として、以下に説明する。
【００２６】
この実施例２のワゴン１８は、実施例１のような手掛け１７は備えていない。しかし、このワゴン１８では、天板１９には、その前面２０と収納部７の前面の中間位置に、手掛かり凹部２１（手掛かりとして機能する凹部）が、図３（ａ）、（ｂ）に示すように、横幅方向に延びるように形成されている。手掛かり凹部２１に下方から手を掛けて前方に引けば、ワゴン１８をキッチンの収納空間６から前方（手前側）に引き出すことができる。
【００２７】
なお、ワゴン１８は、キッチンの収容空間内に通常の収容状態で収容した場合において、実施例１と同様に、天板１９の前面２０は扉９の前面より前方へ突出しており（ワゴン１８の扉９の前面はワークトップ３の前面１５より収容空間６内に引っ込んで形成されている）、天板１９の前面２０はワークトップ３の前面１５と略同位置となるように形成されている。
【００２８】
従って、キッチンの使用者がワゴン１８で邪魔となるようなことがなく、疲れるようなことがない。また、実施例２のワゴン１８は、実施例１のワゴン２のように収納部７の前面に手掛け１７を設ける必要がなく、その分収納部７の収納高さを高く形成できるという利点もある。
【実施例３】
【００２９】
図３（ｃ）、（ｄ）は、本発明に係る収納部付きワゴンの実施例３を説明する図である。図３（ｃ）は要部の断面図を示し、図３（ｄ）は、図３（ｃ）の矢視Ｂ−Ｂ方向の平面図である。この実施例３のワゴン２２は、実施例２のワゴン１８と略同じ構成であるので、実施例２のワゴン１８と異なる構成を中心として、以下に説明する。
【００３０】
実施例２のワゴン１８では手掛かり凹部２１を設けたが、実施例３のワゴン２２は、実施例２のような凹部２１ではなく、図３（ｃ）、（ｄ）に示すように、天板２４に、その前面２４’と収納部７の前面の中間位置に上下方向に貫通する手掛かり孔２３が形成されている。手掛かり孔２３に下方から手を掛けて前方に引き出せば、ワゴン２を収納空間６から前方（手前側）に引き出すことができる。
【００３１】
このような構成の実施例３のワゴン２２は、実施例１及び実施例２と同様に、キッチン１の収容空間６内への通常の収容状態では、ワークトップ３の前面１５は、ワゴン２２の天板２４の前面２４’と同位置に形成され、且つ、天板２４の前面２４’は扉９の前面より前方へ突出している（ワゴン２２の扉９の前面はワークトップ３の前面２４’より収容空間６内に引っ込んで形成されている）。
【００３２】
従って、キッチンの使用者がワゴン２２で邪魔となるようなことがなく、疲れるようなことがない。また、実施例２のワゴン１８と同様、実施例１のワゴン２より収納部７の収納高さを高く形成できる利点がある。
【００３３】
図３（ｅ）は実施例３の変形例であり、天板２４の前面２４’の上端部から下端部にかけて傾斜面２５を設けた構成としたものである。このような傾斜面２５を設ければ、手掛かり孔２３の下方のスペースが広くなり、使用者は下方から手を掛けやすくなり、また、実施例１と同様に、ワークトップ３の前面１５の厚みに対して天板２４の前面での厚みが目立つことがないので、見栄えがよくなる。
【００３４】
以上、本発明に係る収納部付きワゴンを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００３５】
以上、本発明に係る収納部付きワゴンは、キッチンに収容するキッチン用ワゴンのみだけでなく、洗面用キャビネット、各種の作業用机、事務用机等に収容する各種のワゴンにも適用可能である。
【図面の簡単な説明】
【００３６】
【図１】キッチンに本発明に係る収納部付きワゴンを収納した状態の全体構成を示す。
【図２】（ａ）は本発明に係る収納部付きワゴン実施例１の全体構成を説明する図であり、（ｂ）はその要部を説明する図である。
【図３】（ａ）、（ｂ）は本発明の実施例２の要部を説明する図である。（ｃ）、（ｄ）は本発明の実施例３の要部を説明する図であり、（ｅ）は実施例３の変形例である。
【図４】従来例の収納部付きワゴンの全体構成を説明する図である。
【符号の説明】
【００３７】
１、２６  キッチン                                 
２、１８、２２、２８  ワゴン                       
３、２７  ワークトップ                             
４  キッチンの収納部                         
５  仕切板                                   
６  キッチンの収容空間                       
７、２９  ワゴンの収納部                           
８、１９、２４、３０  ワゴンの天板                       
９、３１  ワゴン前面の扉
１０  引出し                           
１１  ワゴンの側板                           
１２  幕板                                   
１３  キッチンの収容空間の奥壁               
１４、２０、２４’、３０’  天板の前面                             
１５、２７’  ワークトップの前面                     
１６、２５  天板の傾斜面                     
１７  手掛け                                 
２１  手掛かり凹部                           
２３  手掛かり孔                             
２９’ワゴンの収納部本体の前面                            
【図１】
2008104656.tif 000003
【図２】
2008104656.tif 000004
【図３】
2008104656.tif 000005
【図４】
2008104656.tif 000006